(57)【特許請求の範囲】
【請求項１】
モータと、前記モータに連結された減速機構と、指針を装着する指針パイプと、前記モータを制御する駆動回路を設けた回路基板と、前記指針の位置を検出する位置検出手段と、それらを支持するケース体とを備えた時計のムーブメントにおいて、
前記ケース体は、正面側の第１ケース部材及び背面側の第２ケース部材をその厚さ方向に組付けてなる扁平型のものであり、
前記ケース体の内部には、前記モータ、前記減速機構、及び前記指針パイプの基端部を収納するとともに、前記指針パイプの先端部は、前記第１ケース部材から正面に向けて突出するものとし、
前記回路基板は、前記第１ケース部材及び前記第２ケース部材の一方に装着し、
前記位置検出手段は、発光部及び受光部を備えたフォトリフレクタを前記回路基板に設けるとともに、前記発光部からの光を前記受光部へ反射する反射部を前記第１ケース部材及び前記第２ケース部材の他方に設け、前記フォトリフレクタ及び前記反射部の間に位置する前記減速機構又は前記指針パイプの基端部に、前記光を透過する透光部を設けてなるものであり、
前記第１ケース部材及び前記第２ケース部材には、前記回路基板を位置決めするボスと、前記モータの電極を挿通する孔部と、前記フォトリフレクタ又は前記反射部を装着する装着部とをそれぞれ設けて、前記回路基板は、これを前記第１ケース部材及び前記第２ケース部材のどちらにも装着することができるようにしたことを特徴とする時計のムーブメント。
【発明の詳細な説明】
【技術分野】
【０００１】
本発明は、指針の位置検出手段を備えた時計のムーブメントに関する。
【背景技術】
【０００２】
時計の指針を駆動するムーブメントは、指針を支持する指針パイプが減速機構を介してモータにより駆動する構成となっている。ムーブメントのケース体には、モータを制御する駆動回路を設けた回路基板が装着されている。モータは、駆動回路に設定されたプログラムに基づいて制御される。特に、標準時刻電波を受信してその表示時刻を修正する電波修正時計の使用が広まっており、電波修正時計のムーブメントには、表示時刻を認識する必要から、指針の位置を検出する位置検出手段が設けられる。特許文献１乃至４には、位置検出手段としてフォトセンサを採用してなるムーブメントが開示されている。
【先行技術文献】
【特許文献】
【０００３】
【特許文献１】特許第３３２８５１８号公報
【特許文献２】特開２００２−１０７４６５号公報
【特許文献３】特開２００４−２７１４４９号公報
【特許文献４】特開２００６−２０８１８１号公報
【発明の概要】
【発明が解決しようとする課題】
【０００４】
さて近年では、時計の形態は益々多様化される傾向にあり、時計のムーブメントについても、各種時計に対応すべく汎用性の向上が求められている。
【０００５】
時計の筐体は、形や大きさが様々であるところ、筐体内部に設けるムーブメントは、その形状や形態が所定の筐体に適応するものを採用する必要がある。実際の時計の設計現場においては、採用するムーブメントに合わせて時計の設計がなされている。
【０００６】
ここで、ケース体に対する回路基板の装着位置が確定していると、これが設計上の大きな制約となる場合がある。つまり、筐体の内部に回路基板の占めるスペースを確保することが困難となる場合がある。また、回路基板には、操作用のスイッチや標準時刻電波を受信するアンテナ等の配線を接続する必要があり、ケース体に対する回路基板の装着位置によっては、接続の作業性が劣るといった不都合が生じる場合もある。
【０００７】
特に、位置検出手段としてフォトセンサを採用したものは、回路基板の位置の変更が困難とされる。フォトセンサとしては、発光部と受光部とを対向配置してなるフォトインタラプタや、発光部の光を反射させて受光部で検出するフォトリフレクタが知られている。フォトリフレクタは、片側配線にて使用できるという利点がある。但し、光の反射部を歯車の所定の部位に設けているため、その歯車が専用の部品となる。すなわち、回路基板にフォトリフレクタを搭載すると、回路基板の位置変更に伴い、新たな歯車を設計して用いる必要がある。また、歯車の揺れが検出精度の低下につながるという問題もある。更に、反射部はスタンプにより成形されているところ、歯車の素材によっては、熱による変形が発生したり、スタンプそのものが困難なものもある。
【０００８】
本願発明は、かかる事情に鑑みてなされたものであり、その目的は、位置検出手段をより合理的に構成してなる時計のムーブメントを提供することである。
【課題を解決するための手段】
【０００９】
本願第１請求項に記載した発明は、モータと、前記モータに連結された減速機構と、指針を装着する指針パイプと、前記モータを制御する駆動回路を設けた回路基板と、前記指針の位置を検出する位置検出手段と、それらを支持するケース体とを備えた時計のムーブメントにおいて、
前記ケース体は、正面側の第１ケース部材及び背面側の第２ケース部材をその厚さ方向に組付けてなる扁平型のものであり、
前記ケース体の内部には、前記モータ、前記減速機構、及び前記指針パイプの基端部を収納するとともに、前記指針パイプの先端部は、前記第１ケース部材から正面に向けて突出するものとし、
前記回路基板は、前記第１ケース部材及び前記第２ケース部材の一方に装着し、
前記位置検出手段は、発光部及び受光部を備えたフォトリフレクタを前記回路基板に設けるとともに、前記発光部からの光を前記受光部へ反射する反射部を前記第１ケース部材及び前記第２ケース部材の他方に設け、前記フォトリフレクタ及び前記反射部の間に位置する前記減速機構又は前記指針パイプの基端部に、前記光を透過する透光部を設けてなるものであり、
前記第１ケース部材及び前記第２ケース部材には、前記回路基板を位置決めするボスと、前記モータの電極を挿通する孔部と、前記フォトリフレクタ又は前記反射部を装着する装着部とをそれぞれ設けて、前記回路基板は、これを前記第１ケース部材及び前記第２ケース部材のどちらにも装着することができるようにした構成の時計のムーブメントである。
【発明の効果】
【００１１】
本発明によれば、位置検出手段をより合理的に構成してなる時計のムーブメントを得ることができる。
【図面の簡単な説明】
【００１２】
【図１】本発明の実施例に係り、時計のムーブメント（回路基板を背面側の第２ケース部材に装着したもの）を示す正面図である。
【図２】本発明の実施例に係り、時計のムーブメントを示す側面図である。
【図３】本発明の実施例に係り、時計のムーブメントを示す背面図である。
【図４】本発明の実施例に係り、時計のムーブメントを示す分解斜視図である。
【図５】本発明の実施例に係り、時計のムーブメント（回路基板を正面側の第１ケース部材に装着したもの）を示す側面図である。
【図６】本発明の実施例に係り、時計のムーブメント（回路基板を正面側の第１ケース部材及び背面側の第２ケース部材にそれぞれ装着したもの）を示す側面図である。
【発明を実施するための形態】
【００１３】
以下に、本発明の実施例を図面に基づいて説明する。図１乃至図４に示す本例の時計のムーブメント１は、モータ２００と、モータ２００に連結された減速機構３００と、指針を装着する指針パイプ４１０，４２０と、モータ２００を制御する駆動回路を設けた所定の形状の回路基板５００と、指針の位置を検出する位置検出手段６００と、それらを支持するケース体７００とを備え、指針パイプ４１０，４２０が減速機構３００を介してモータ２００により駆動する構成となっている。
【００１４】
具体的には、時針を装着する時針パイプ４１０と分針を装着する分針パイプ４２０とが同心軸状に設けられている。そして、ステッピングモータ２００のロータ２１０に連結された減速機構３００が分針パイプ４２０の基端部に設けられた分針車４２１と連結されている。また、分針パイプ４２０の基端部に設けられたカナ４２２が日の裏車３１０と連結されており、時針パイプ４１０の基端部に設けられた時針車４１１が日の裏車３１０のカナ３１１と連結されている。時針パイプ４１０及び分針パイプ４２０がステッピングモータ２００によりそれぞれ所定の速度で回転駆動する。
【００１５】
ケース体７００は、正面側の第１ケース部材７１０及び背面側の第２ケース部材７２０をその厚さ方向に組付けてなる扁平型のものである。第１ケース部材７１０及び第２ケース部材７２０は、それらの要所にフック７１１及び係止部７２１がそれぞれ設けられており、フック７１１を係止部７２１に係止して組付けられる。ケース体７００の内部には、モータ２００、減速機構３００、及び指針パイプ４１０，４２０の基端部を収納するとともに、指針パイプ４１０，４２０の先端部は、第１ケース部材７１０から正面に向けて突出している。第１ケース部材７１０には、指針パイプ４１０，４２０を貫通する指針パイプ貫通孔７１２が設けられている。このケース体７００は、第１ケース部材７１０及び第２ケース部材７２０に挿通したボルトＢ１にて外部に固定されるものとなっている。第１ケース部材７１０及び第２ケース部材７２０の内面要所には、各構成部材を保持する凹凸、ボス、及び支軸等が形成されている。
【００１６】
回路基板５００は、第１ケース部材７１０及び第２ケース部材７２０の一方にボルトＢ２にて装着する。図１乃至図４に示す例は、回路基板５００を第２ケース部材７２０に装着したものである。
【００１７】
本例の位置検出手段６００は、発光部６１１及び受光部６１２を備えたフォトリフレクタ６１０を回路基板５００に設けるとともに、発光部６１１からの光を受光部６１２へ反射する反射部６２０を第１ケース部材７１０及び第２ケース部材７２０の他方に設け、フォトリフレクタ６１０及び反射部６２０の間に位置する減速機構３００又は指針パイプ４１０，４２０の基端部に、光を透過する透光部６３０を設けてなるものである。図１乃至図４に示す例は、反射部６２０を第１ケース部材７１０に装着したものである。また、透光部６３０は減速機構３００、時針車４１１、及び分針車４２１に設けられている。
【００１８】
本例の場合、第１ケース部材７１０及び第２ケース部材７２０には、回路基板５００を位置決めするボス７０１と、モータ２００に設けられたピン状の電極２０１を挿通する孔部７０２と、フォトリフレクタ６１０又は反射部６２０を装着する装着部７０３とをそれぞれ設けて、回路基板５００は、これを第１ケース部材７１０及び第２ケース部材７２０のどちらにも装着することができるものとなっている。孔部７０２から突出したモータ２００の電極２０１の端部は、回路基板５００にハンダ付けされている。
【００１９】
図中の反射部６２０は、プレートにスタンプを施してなる部材であり、これを装着部７０３に嵌め込むことによって設けられている。装着部７０３に嵌め込む反射部６２０としては、光を回帰する所定の形状の導光体を採用することも可能である。
【００２０】
図５に示す例は、回路基板５００を第１ケース部材７１０に装着したものである。反射部６２０は、第２ケース部材７２０に装着されている。図６に示す例は、回路基板５００を第１ケース部材７１０及び第２ケース部材７２０にそれぞれ装着したものである。フォトリフレクタ６１０は、第１ケース部材７１０及び第２ケース部材７２０の一方に装着された回路基板５００に設けられており、反射部６２０は、第１ケース部材７１０及び第２ケース部材７２０の他方に設けられている。尚、このように回路基板５００を両面に設ける場合は、フォトリフレクタ６１０を、発光部と受光部とを対向配置してなるフォトインタラプタに置きかえることも可能である。いずれの例においても、透光部６３０を変更する必要はない。
【００２１】
このように、本例のムーブメント１は、ケース体７００に対する回路基板５００の装着位置を容易に変更することができるものである。フォトリフレクタ６１０を用いてなる位置検出手段６００としては、反射部を歯車に成形してなるものが知られているが、そのようなものと比較すると、検出精度が優れているうえに、部材の共通化、及び汎用性の点で優れたものとなっている。
【００２２】
また、第１ケース部材７１０及び第２ケース部材７２０は、樹脂製の射出成形部材であるところ、成形段階においてそれらの一方に回路基板５００を設けることが確定している場合は、中子等を用いて他方のボス７０１、孔部７０２、装着部７０３を省くことも可能である。共通の金型にて成形可能であり、ケース体７００の小型化、及び密閉性を向上するうえで有利となる。尚、装着部７０３を省く場合、反射部６２０は、所定の部位にスタンプにより成形するとよい。
【００２３】
以上説明したように、本例のムーブメントは、位置検出手段をより合理的に構成してなるものである。尚、本例における各部の構成は、特許請求の範囲に記載した技術的範囲において適宜に設計変更が可能であり、図例説明したものに限定されないことは勿論である。
【産業上の利用可能性】
【００２４】
本発明の時計のムーブメントは、アナログ式の壁掛け電波修正時計や目覚し電波修正時計の時刻表示部を構成するユニットとして、極めて好適に利用することが可能である。
【符号の説明】
【００２５】
１    ムーブメント
２００    モータ
２０１    電極
２１０    ロータ
３００    減速機構
３１０    日の裏車
３１１    カナ
４１０    時針パイプ（指針パイプ）
４１１    時針車
４２０    分針パイプ（指針パイプ）
４２１    分針車
４２２    カナ
５００    回路基板
６００    位置検出手段
６１０    フォトリフレクタ
６１１    発光部
６１２    受光部
６２０    反射部
６３０    透光部
７００    ケース体
７０１    ボス
７０２    孔部
７０３    装着部
７１０    第１ケース部材
７１１    フック
７１２    指針パイプ貫通孔
７２０    第２ケース部材
７２１    係止部
Ｂ１    ボルト
Ｂ２    ボルト
【図１】
0005382948.tif 000002
【図２】
0005382948.tif 000003
【図３】
0005382948.tif 000004
【図４】
0005382948.tif 000005
【図５】
0005382948.tif 000006
【図６】
0005382948.tif 000007